(57)【要約】【課題】台風接近時の強風や高波による損傷被害や赤潮による被害を回避することができる牡蠣筏を提供する。【解決手段】牡蠣筏１は浮体３と、該浮体３上に縦横に格子状に組付けられる孟宗竹や樹脂等よりなり、浮体３は耐衝撃性を有して剛性のある硬質樹脂製等の太鼓状構造物よりなる中空状の容器６と、該容器６内に納められるゴム又は樹脂製の弾性体の浮袋７よりなり、容器６には通水孔を有して内部に海水が出入りできるようにしてあり、また浮体７は容器外にバルブを有し、該バルブを通して圧縮空気を注入することにより膨らんで容器内の海水を排出し、これにより容器６の浮力を大きくする一方、バルブを通して空気を抜くことにより、窄んで容器内に海水を入れ、これにより容器６の浮力を小さくして牡蠣筏１全体を海面下に沈降させる。【選択図】図５
2007000039.tif 000002
【特許請求の範囲】
【請求項１】
複数の浮体上に孟宗竹や樹脂管よりなる筒状体を縦横に組立てて、牡蠣の幼生が付着する採苗器を連ねた採苗連或いは牡蠣の種付着器を連ねた垂下連を海中に吊下げる牡蠣養殖用の牡蠣筏において、上記浮体のうち、少なくとも一部が浮力調整手段を有する浮体であり、該浮体の浮力の調整により牡蠣筏全体を海面下に沈降させることができるようにしたことを特徴とする牡蠣筏。
【請求項２】
上記浮体がバルブを有し、該バルブを通して圧縮空気を注入することにより膨らみ、或いはバルブを通して圧縮空気を排出することにより窄む、ゴム又は樹脂製の可撓性のある浮袋よりなることを特徴とする請求項１記載の牡蠣筏。
【請求項３】
上記浮袋が耐衝撃性を有し、海水が出入りする通水孔を備えた容器内に納められることを特徴とする請求項２記載の牡蠣筏。
【請求項４】
上記浮袋が内袋と、該内袋が入れられ、かつ圧縮空気の注入、或いは排出が行われる外袋よりなることを特徴とする請求項１又は２記載の牡蠣筏。
【請求項５】
各採苗連或いは垂下連の適所が浮体又は筒状体にワイヤー、ロープ等の索条によって連結されることを特徴とする請求項１ないし４のいずれかの請求項に記載の牡蠣筏。
【請求項６】
牡蠣筏上にワイヤー、ロープ等の索条によって連結されるか、或いはロッドによって上下方向に枢動可能に連結される筏位置表示用のブイを設置し、筏が海面下に沈降したときに上記ブイが牡蠣筏より離れて海面上に浮遊することにより筏の位置を表示すると共に、上記ブイに浮力を持たせて、海面下に沈降した牡蠣筏の浮体の浮力の一部を負担させることを特徴とする請求項１〜５のいずれかの請求項に記載の牡蠣筏。
【発明の詳細な説明】
【技術分野】
【０００１】
本発明は、牡蠣養殖用の牡蠣筏に関し、ことに台風のような強風やこれに伴って発生する高波による被害を回避し、或いは赤潮による被害を軽減することができる牡蠣筏に関する。
【背景技術】
【０００２】
牡蠣の養殖は多くの場合、帆立貝の貝殻に針金を通して一定間隔で取付けた採苗連を付着期幼生の出現盛期に筏から海中に吊り下げて牡蠣の幼生を付着させる採苗期と、採苗後、採苗連を引上げて干潟に移し、そこで潮の干満を利用して海水に浸したり、日や風波に当てて牡蠣の成長を抑制すると共に、牡蠣に付着する有害生物を死滅させて防除し、かつ抵抗力の強い種牡蠣を育成する抑制期と、採苗連から種牡蠣の付着する帆立貝を外し、新しい針金に通し替えて垂下連を作り、これを筏や棚等から海中に吊り下げて牡蠣を育成する本垂下期を経て行われ、使用される筏としては、その多くが適当間隔を置いて並べた各種材質でできた太鼓状構造物や発泡スチロール等よりなるほぼ円筒形をした浮体上に孟宗竹や樹脂管を縦横に格子状に組立てたものよりなっている。
【発明の開示】
【発明が解決しようとする課題】
【０００３】
近年、大型で強い勢力を保った台風による被害が農林水産業を始め、様々な分野で発生している。牡蠣養殖用の牡蠣筏に関しても強風や高波により流出したり、破損することによる直接的な被害が発生するほか、流出したり、破損した牡蠣筏が漁業操業や船舶航行の障害となったり、流出した資材が周辺海域に散逸する等の問題が発生し、また養殖中の牡蠣が赤潮被害により死滅する被害も見られており、台風等に伴う被害や赤潮被害を回避するため、牡蠣筏を移動させるのは容易でない。
【０００４】
本発明は、上記の問題を解消し、強風や高波による被害を回避することができ、更には赤潮による被害を軽減することも可能な牡蠣筏を提供することを目的とする。
【課題を解決するための手段】
【０００５】
請求項１に係る発明は、複数の浮体上に孟宗竹や樹脂管よりなる筒状体を縦横に組立てて、牡蠣の幼生が付着する採苗器を連ねた採苗連或いは牡蠣の種付着器を連ねた垂下連を海中に吊下げる牡蠣養殖用の牡蠣筏において、上記浮体のうち、少なくとも一部が浮力調整手段を有する浮体であり、該浮体の浮力の調整により牡蠣筏全体を海面下に沈降させることができるようにしたことを特徴とする。
【０００６】
本発明の浮力調整手段としては、例えば浮体に取外し可能に取付けられる重り、圧縮空気を注入し或いは抜くことができる浮袋等を例示することができ、この中では浮力調整が容易な浮袋が望ましいが、浮袋と重りを併用してもよい。浮袋を使用する場合には、取外しができるようにして、台風接近時や赤潮発生時などの必要時にのみ取付けられるようにしてもよい。
【０００７】
なお、従来の牡蠣筏で用いられていたドラム缶や発泡スチロール等の各種材質でできた太鼓状構造物よりなる浮体は、浮力調整手段が浮袋である場合、省くことができるが、浮袋が取外し可能で、必要時にのみ取付けられるような場合には、従来の牡蠣筏に用いられていたドラム缶や発泡スチロール等の各種材質でできた太鼓状構造物よりなる浮体と同様の浮体が用いられる。
【０００８】
牡蠣筏を沈降させる際には、筏の所要箇所にバランサーとして重りを取付け、牡蠣筏の沈降が均等に行われるようにするのが望ましい。
【０００９】
請求項２に係る発明は、請求項１に係る発明の上記浮体がバルブを有し、該バルブを通して圧縮空気を注入することにより膨らみ、或いはバルブを通して圧縮空気を排出することにより窄む、ゴム又は樹脂製の可撓性のある浮袋よりなることを特徴とし、
請求項３に係る発明は、請求項２に係る発明の上記浮袋が耐衝撃性を有し、海水が出入りする通水孔を備えた容器内に納められることを特徴とする。
【００１０】
本発明の容器は、海水に浸かるが、牡蠣筏を赤潮被害を避けるため、或いは餌の豊富な漁場等に移動させる際には、その移動がスムースに行えるように、流線形、例えば舟形に形成するのが望ましい。本発明の容器はまた、浮袋を組み込むときの組付け性を考慮し、或いは容器の保守・点検や破損部品の交換等の維持管理のため、分割するか、開閉可能な蓋を設けておくのが望ましい。
【００１１】
請求項４に係る発明は、請求項２又は３に係る発明の浮袋が圧縮空気の注入、或いは排出が行われる内袋と、該内袋が入れられる外袋よりなることを特徴とする。
請求項５に係る発明は、請求項１ないし４に係る発明において、各採苗連或いは垂下連の適所が浮体又は筒状体にワイヤー、ロープ等の索条によって連結されることを特徴とする。
【００１２】
請求項６に係わる発明は、請求項１ないし５に係る発明において、牡蠣筏上にワイヤー、ロープ等の索条によって連結されるか、或いはロッドによって上下方向に枢動可能に連結される筏位置表示用のブイを設置し、筏が海面下に沈降したときに上記ブイが牡蠣筏より離れて海面上に浮遊することにより筏の位置を表示すると共に、上記ブイに浮力を持たせて、海面下に沈降した牡蠣筏の浮体の浮力の一部を負担させることを特徴とする。
【００１３】
上記採苗連或いは垂下連には、好ましくはその適所に金属やプラスチックよりなるリングが取付けられ、ワイヤーやロープ等の索条をリングに通すことにより各採苗連或いは垂下連が連結できるようにされる。
【発明の効果】
【００１４】
請求項１に係る発明によると、台風や強風が予測されるときには、浮体の浮力を小さくし、筏全体を海面下、例えば海面より２ｍ位の深さに沈降させる。水中では、海面に比べ、波による衝撃が小さく、牡蠣筏の破損が生じにくい。また赤潮が発生するときにも、筏全体を例えば海面下数ｍの深さまで沈降させることにより赤潮被害を軽減させることができ、赤潮対策のため牡蠣筏を移動させなくてもよくなる。
【００１５】
請求項２に係る発明によると、浮袋から圧縮空気を抜いたり、注入することにより浮力調整を行い、牡蠣筏全体を簡易に浮沈させることができる。
請求項３に係る発明によると、漂流物や小型船舶が衝突するようなことがあっても、容器により浮袋を保護し、浮袋の損傷を防ぐことができる。
【００１６】
請求項４に係る発明によると、外袋は弾力性を有するため、漂流物や小型船舶が衝突しても弾性変形して損傷しにくく、また内袋の保護機能を果たし、内袋の損傷を防ぐことができる。
【００１７】
請求項５に係る発明によると、強風や高波により採苗連や垂下連が牡蠣筏より脱落するようなことがあっても、採苗連や垂下連に連結される索条を手繰り寄せることにより引き上げて牡蠣を回収することができる。
【００１８】
請求項６に係わる発明によると、海面下に沈降したときに、筏位置表示用のブイが海面に浮くことにより、筏の位置を表示する事ができるため、航行船舶の接触や衝突による事故の防止を図ることができる。さらに、牡蠣筏を海面下に沈降させたとき、ブイに牡蠣筏の浮体の浮力の一部を負担させるようにしたことにより、海水中での牡蠣筏の安定的静止を向上させることができると共に、浮体数を低減させて牡蠣筏の製作コストを低減させることができる。
【発明を実施するための最良の形態】
【００１９】
以下、本発明の実施形態の牡蠣筏について図面により説明する。
図１は、牡蠣筏１の全体構成を示すもので、浮体３及び９上に孟宗竹や樹脂管等よりなる筒状体４を縦横に格子状に組付けてなり、浮体３は筒状体４上には図４及び図５に示すように、ロッド９により上下方向に枢動可能に連結される筏位置表示用のブイ８が設置されると共に、垂下連２が筒状体４に連結して吊下げられている。垂下連２には、図示していないが、適所に樹脂製のリングが取付けてあり、各垂下連２が筒状体４にリングに通したロープにより連結されている。
【００２０】
浮体３は、図２及び図３に示すように、耐衝撃性を有して剛性のある硬質樹脂製、その他各種材質でできた太鼓状構造物よりなる中空状の容器６と、該容器６内に納められるゴム又は樹脂製の弾性体の浮袋７よりなり、容器６は通水孔を有して内部に海水が出入りできるようにされ、また分割されて開閉可能であり、分割して開けることにより浮袋７が出し入れできるようにしてある。
【００２１】
浮袋７は図示していないが、各浮袋７を連結する配管１０にバルブを有しており、該バルブを開けて牡蠣船に装備したコンプレッサーから圧縮空気を注入することにより図２に示すように膨張して容器６内の海水を上記通水孔を通して排出し、これにより浮体３の浮力を大きくさせるようになっている一方、バルブを開けて浮袋７内の圧縮空気を排出することにより図３に示すように窄んで容器６内に海水を取り込み、これにより浮体３の浮力を小さくさせるようになっている。
【００２２】
図４は、浮体３が図２の状態にあるときの牡蠣筏１について示すものであり、図５は浮体３が図３の状態にあるときの牡蠣筏１について示すもので、浮体３の浮力を大にした図２の状態では、牡蠣筏１が海面に浮かび、浮体３の浮力を小にした図３の状態では、牡蠣筏１が海面下に沈むようになっており、筏位置表示用のブイ８は牡蠣筏１が海面に浮かぶ図４の状態では、筏上に置かれ、牡蠣筏１が海面下に沈降した図５の状態では、ロッド９により連結された状態で海面に浮かんで筏１の位置表示を行うようになっている。
【００２３】
本発明の牡蠣筏は以上のように構成され、台風が接近して高波が発生することが予想されるときには、図５に示すように牡蠣筏１全体を海面下に沈降させる。これにより波１３による影響が小さくなり、牡蠣筏１の破損が生じにくゝなる。図中、１２は浮力調整機能を有さない，浮力を一定に保持する機能を持たせた発泡スチロール等よりなる浮体である。
【００２４】
上記実施形態では、垂下連２が吊下げられるようになっているが、別の実施形態では採苗連が吊下げられる。また上記実施形態の浮体３は、取外しできるようになっていないが、別の実施形態では取外し可能で、中空状の太鼓状構造物や発泡スチロールよりなる浮体が、浮体３とは別に取付けられる。
【００２５】
上記実施形態の浮体３は、容器６が太鼓状をなしているが、舟形に形成して牡蠣筏１の移動がスムースに行えるようにしてもよい。また、浮袋７は内袋と外袋の二重構造にし、外袋が圧縮空気の注入又は排出により膨らんだり、窄むようにしてもよい。
【図面の簡単な説明】
【００２６】
【図１】本発明に係る牡蠣筏の斜視図。
【図２】浮袋が膨張したときの浮体の概略断面図。
【図３】浮袋を窄めたときの浮体の概略断面図。
【図４】浮体の浮力を大にしたときの牡蠣筏を示す図。
【図５】浮体の浮力を小にしたときの牡蠣筏を示す図。
【符号の説明】
【００２７】
１・・牡蠣筏
２・・垂下連
３、９、１２・・浮体
４・・筒状体
６・・容器
７・・浮袋
８・・筏位置表示用のブイ
９・・ロッド
１０・・配管
１３・・波
【図１】
2007000039.tif 000003
【図２】
2007000039.tif 000004
【図３】
2007000039.tif 000005
【図４】
2007000039.tif 000006
【図５】
2007000039.tif 000007